Podtech/llm-jp-corpus-v4-ja_patent huggingface dataset:
【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  一連の複素数入力サンプル値と複素数符号との間の複素数相関関係を計算する整合フィルタであって、
各スイッチが、前記入力サンプル値の実数値部を受信するよう接続される第１の入力と、前記入力サンプル値の虚数値部を受信するよう接続される第２の入力と、制御信号を受信するよう接続される制御入力とを含み、第１の状態における前記制御信号の印加によって、前記入力サンプル値の前記実数値部が第１の出力に切り換り、そして前記入力サンプル値の前記虚数値部が第２の出力に切り換り、また第２の状態における前記制御信号の印加によって、前記入力サンプル値の前記実数値部の出力が前記第２の出力に切り換り、そして前記入力サンプル値の前記虚数値部の出力が前記第１の出力に切り換る、Ｎ個の切換スイッチの組と、
前記Ｎ個の切換スイッチの前記第１の出力の各々に結合され、前記複素数相関関係の実数部を生成する第１の整合フィルタ部と、
前記Ｎ個の切換スイッチの前記第２の出力の各々に結合され、前記複素数相関関係の虚数部を生成する第２の整合フィルタ部とを具備する整合フィルタ。
【請求項２】  前記第１の整合フィルタ部が、
各々が、前記Ｎ個の切換スイッチの前記第１の出力の１つに接続される第１の入力と、前記複素数符号の実数シンボルを受信するよう接続される第２の入力とを有し、掛け合わされた出力を提供するＮ個の乗算器の第１の組と、
前記第１のＮ個の乗算器のそれぞれの前記掛け合わされた出力を、対応する遅延された和と足し合せて、遅延されていない和を提供する（Ｎ−１）個の加算器の第１の組であって、その（Ｎ−１）個の最後の加算器の出力が、前記複素数相関関係の前記実数部である（Ｎ−１）個の加算器の第１の組と、
前記遅延されていない和を遅延させて前記遅延された和を作り出す（Ｎ−１）個の遅延素子の第１の組であって、前記遅延されていない和の１つは、前記Ｎ個の乗算器の第１の組の最初の乗算器の出力である（Ｎ−１）個の遅延素子の第１の組とを具備する請求項１に記載の整合フィルタ。
【請求項３】  前記第２の整合フィルタ部が、
各々が、前記Ｎ個の切換スイッチの前記第１の出力の１つに接続される第１の入力と、前記複素数符号の虚数シンボルを受信するよう接続される第２の入力とを有し、掛け合わされた出力を提供するＮ個の乗算器の第２の組と、
前記第１のＮ個の乗算器のそれぞれの前記掛け合わされた出力を、対応する遅延された和と足し合せて、遅延されていない和を提供する（Ｎ−１）個の加算器の第２の組であって、その（Ｎ−１）個の最後の加算器の出力が、前記複素数相関関係の前記虚数部である（Ｎ−１）個の加算器の第２の組と、
前記遅延されていない和を遅延させて前記遅延された和を作り出す（Ｎ−１）個の遅延素子の第２の組であって、前記遅延されていない和の１つは、前記Ｎ個の乗算器の第２の組の最初の乗算器の出力である（Ｎ−１）個の遅延素子の第２の組とを具備する請求項１に記載の整合フィルタ。
【請求項４】  前記制御信号が、それぞれの実数シンボルと対応する虚数シンボルとの組み合わせを備える請求項１に記載の整合フィルタ。
【請求項５】  前記複素数入力サンプル値の前記実数部及び虚数部が、各々Ｌビットのバイナリ値である請求項１に記載の整合フィルタ。
【請求項６】  前記第１及び第２の入力が、Ｌビット入力を備える請求項５に記載の整合フィルタ。
【請求項７】  一連の複素数入力サンプル値と複素数符号との間の複素数相関関係を計算する整合フィルタであって、
各スイッチが、前記入力サンプル値の実数値部を受信するよう接続される第１の入力と、前記入力サンプル値の虚数値部を受信するよう接続される第２の入力と、制御信号を受信するよう接続される制御入力とを含み、第１の状態における前記制御信号の印加によって、前記入力サンプル値の前記実数値部が第１の出力に切り換り、また前記入力サンプル値の前記虚数値部が第２の出力に切り換り、また第２の状態における前記制御信号の印加によって、前記入力サンプル値の前記実数値部の出力が前記第２の出力に切り換り、また前記入力サンプル値の前記虚数値部の出力が前記第１の出力に切り換る、Ｎ個の切換スイッチの組と、
各々が、前記Ｎ個の切換スイッチの前記第１の出力の１つに接続される第１の入力と、前記複素数符号の実数シンボルを受信するよう接続される第２の入力とを有し、掛け合わされた出力を提供するＮ個の乗算器の第１の組と、
前記第１のＮ個の乗算器のそれぞれの前記掛け合わされた出力を、対応する遅延された和と足し合せて、遅延されていない和を提供する（Ｎ−１）個の加算器の第１の組であって、その（Ｎ−１）個の最後の加算器の出力が、前記複素数相関関係の前記実数部である（Ｎ−１）個の加算器の第１の組と、
前記遅延されていない和を遅延させて前記遅延された和を作り出す（Ｎ−１）個の遅延素子の第１の組であって、前記遅延されていない和の１つは、前記Ｎ個の乗算器の第１の組の最初の乗算器の出力である（Ｎ−１）個の遅延素子の第１の組と、
各々が、前記Ｎ個の切換スイッチの前記第１の出力の１つに接続される第１の入力と、前記複素数符号の虚数シンボルを受信するよう接続される第２の入力とを有し、掛け合わされた出力を提供するＮ個の乗算器の第２の組と、
前記第１のＮ個の乗算器のそれぞれの前記掛け合わされた出力を、対応する遅延された和と足し合せて、遅延されていない和を提供する（Ｎ−１）個の加算器の第２の組であって、その（Ｎ−１）個の最後の加算器の出力は、前記複素数相関関係の前記虚数部である（Ｎ−１）個の加算器の第２の組と、
前記遅延されていない和を遅延させて前記遅延された和を作り出す（Ｎ−１）個の遅延素子の第２の組であって、前記遅延されていない和の１つは、前記Ｎ個の乗算器の第２の組の最初の乗算器の出力である（Ｎ−１）個の遅延素子の第２の組とを具備する整合フィルタ。
【請求項８】  前記制御信号が、それぞれの実数シンボルと対応する虚数シンボルとの組み合わせを備える請求項７に記載の整合フィルタ。
【請求項９】  前記複素数入力サンプル値の前記実数部及び虚数部が、各々Ｌビットのバイナリ値である請求項７に記載の整合フィルタ。
【請求項１０】  前記第１及び第２の入力が、Ｌビット入力を備える請求項７に記載の整合フィルタ。
【請求項１１】  前記（Ｎ−１）個の遅延素子の第１及び第２の組が、第１のクロック・サイクルで入力をロードし、その次のクロック・サイクルでその入力を出力するレジスタを備える請求項７に記載の整合フィルタ。
【請求項１２】  前記加算器の第１及び第２の組が、並列加算器を備える請求項７に記載の整合フィルタ。
【請求項１３】  複素数信号値を複素数符号と相関させる改良された方法であって、  スイッチ制御値を生成し、
前記スイッチ制御値に応答するスイッチを用いて、複素数信号値の実数部か虚数部かを選択し、
前記選択された実数部または虚数部を、前もって組み合わされた結果と組み合わせて、新しく組み合わされた結果を作り出すステップを具備する方法。
【請求項１４】  前記生成するステップが更に、前記複素数符号のシンボルの対応する実数部および虚数部を組み合わせることを具備する請求項１３に記載の方法。
【手続補正書】
【提出日】平成19年3月22日(2007.3.22)
【手続補正１】
【補正対象書類名】明細書
【補正対象項目名】特許請求の範囲
【補正方法】変更
【補正の内容】
【特許請求の範囲】
【請求項１】  マレク病ウイルス（ＭＤＶ）ゲノムのＵＬ５４．５オープンリーディングフレームに挿入された外来性ＤＮＡ配列を含む、組換えマレク病ウイルス（ＭＤＶ）。
【請求項２】  前記外来性ＤＮＡがポリペプチドをコードする、請求項１に記載の組換えウイルス。
【請求項３】  前記ポリペプチドが１０より多いアミノ酸を含有する、請求項２に記載の組換えウイルス。
【請求項４】  前記ポリペプチドが抗原性である、請求項２に記載の組換えウイルス。
【請求項５】  請求項１に記載の組換えウイルスであって、ここで前記外来性ＤＮＡ配列が、該外来性ＤＮＡ配列の上流に位置する活性なヘルペスウイルスプロモーターの制御下にあり、そして、該外来性ＤＮＡ配列が、ＰＲＶ  ｇＸプロモーター、ＭＤＶ  ｇＢプロモーター、ＭＤＶ  ｇＡプロモーター、ＭＤＶ  ｇＤプロモーター、ＩＬＴＶ  ｇＢプロモーター、ＩＬＴＶ  ｇＩプロモーター、ＨＣＭＶ最初期プロモーター、および実質的に相同な配列からなる群より選択される、組換えウイルス。
【請求項６】  請求項１に記載の組換えウイルスであって、ここで前記外来性ＤＮＡ配列が、ニワトリ貧血ウイルス、伝染性ファルビキウス病ウイルス、マレク病ウイルス、ニューカッスル病ウイルス、伝染性喉頭気管炎ウイルス、伝染性気管支炎ウイルス、および実質的に相同な配列からなる群より選択されるウイルス由来の抗原性ポリペプチドをコードする、組換えウイルス、
【請求項７】  請求項６に記載の組換えウイルスであって、前記外来性ＤＮＡ配列が、ＶＰ２、ＶＰ３、ＶＰ４、および実質的に相同な配列からなる群より選択される、伝染性ファルビキウス病ウイルス由来の抗原性ポリペプチドをコードするＤＮＡ配列を含む、組換えウイルス。
【請求項８】  請求項６に記載の組換えウイルスであって、前記外来性ＤＮＡが、Ｂ糖タンパク質、Ｄ糖タンパク質、Ａ糖タンパク質、および実質的に相同な配列からなる群より選択される、マレク病ウイルス由来の抗原性ポリペプチドをコードするＤＮＡ配列を含む、組換えウイルス。
【請求項９】  請求項６に記載の組換えウイルスであって、前記外来性ＤＮＡ配列が、Ｆ、ＨＮ、および実質的に相同な配列からなる群より選択される、ニューカッスル病ウイルス由来の抗原性ポリペプチドをコードするＤＮＡ配列を含む、組換えウイルス。
【請求項１０】  請求項６に記載の組換えウイルスであって、前記外来性ＤＮＡが、スパイクタンパク質、ヌクレオカプシドタンパク質、マトリックスタンパク質、および実質的に相同な配列からなる群より選択される、伝染性気管支炎ウイルス由来の抗原性ポリペプチドをコードするＤＮＡ配列を含む、組換えウイルス。
【請求項１１】  マレク病ウイルス（ＭＤＶ）ゲノムのＵＬ５４．５オープンリーディングフレームの少なくとも一部の欠失を含む、変異体マレク病ウイルス（ＭＤＶ）。
【請求項１２】  前記ＵＬ５４．５オープンリーディングフレームが完全に欠失している、請求項１１に記載の変異体ウイルス。
【手続補正書】
【提出日】平成19年2月26日(2007.2.26)
【手続補正１】
【補正対象書類名】明細書
【補正対象項目名】特許請求の範囲
【補正方法】変更
【補正の内容】
【特許請求の範囲】
【請求項１】  ＩＰアドレスのホスト部を決定するために移動端末と移動通信ネットワークの間でネゴシエーションを行うステップを含む前記移動通信ネットワーク内の前記移動端末にＩＰアドレスを割当てる方法であって、
前記ホスト部は、標準無線インターフェースプロトコルレイアの一つに関連した、前記移動端末に割当てられた識別子であり、その後のインターネットセッションで用いるＩＰアドレスを生成するために、前記移動端末によって前記ホスト部が用いられる
ことを特徴とする方法。
【請求項２】  前記ホスト部は、無線ネットワークによって提示される
ことを特徴とする請求項１に記載の方法。
【請求項３】  前記移動通信ネットワークは、ＵＭＴＳネットワークであり、無線ネットワーク暫定識別子（ＲＮＴＩ）が前記ホスト部として用いられる
ことを特徴とする請求項１または２に記載の方法。
【請求項４】  前記ホスト部は、前記移動端末によって提示される
ことを特徴とする請求項１に記載の方法。
【請求項５】  前記ネゴシエーションは、前記移動端末と前記移動通信ネットワークとの間の無線リンクの確立の間に行われる
ことを特徴とする請求項１乃至３のいずれか１項に記載の方法。
【請求項６】  前記移動通信ネットワークは、無線ネットワーク部を含み、前記移動端末へのホスト部の割当ては、前記無線ネットワークによって制御される
ことを特徴とする請求項１乃至５のいずれか１項に記載の方法。
【請求項７】  前記移動端末へのホスト部の割当ては、無線ネットワークの無線ネットワークコントローラ（ＲＮＣ）によって制御される
ことを特徴とする請求項６に記載の方法。
【請求項８】  移動通信ネットワーク内の移動端末にＩＰアドレスを割当てる装置であって、
ＩＰアドレスのホスト部を決定するために前記移動端末と前記移動通信ネットワークとの間のネゴシエーションを行うための、前記移動端末と前記移動通信ネットワークの間に分配された手段を含み、
前記ホスト部は、標準無線インターフェースプロトコルレイアの一つに関連した、前記移動端末に割当てられた識別子であり、
前記移動端末は、さらに、その後のインターネットセッションで用いられる、前記ホスト部を含むＩＰアドレスを生成するための手段を含む
ことを特徴とする装置。
【請求項９】  インターネット対応移動端末であって、
前記移動端末は、ＩＰアドレスのホスト部を決定するために移動通信ネットワークとの間のネゴシエーションを行うように構成され、
前記ホスト部は、標準無線インターフェースプロトコルレイアの一つに関連した、前記移動端末に割当てられた識別子であり、
前記移動端末は、さらに、その後のインターネットセッションで用いられる、前記ホスト部を含むＩＰアドレスを生成するように構成されている
ことを特徴とする移動端末。
【請求項１０】  移動通信ネットワーク内の移動端末に、ルーティング部とホスト部とを含むＩＰアドレスを提供する方法であって、
標準無線インターフェースプロトコルレイアの一つに関連して、前記移動端末に割当てられた識別子を、前記ホスト部として用いる
ことを含むことを特徴とする方法。
【請求項１１】  前記識別子は、無線ネットワーク暫定識別子（ＲＮＴＩ）である
ことを特徴とする請求項１０に記載の方法。
【請求項１２】  移動端末で乱数を発生するステップと、前記乱数をＩＰアドレスのホスト部として提示するステップとを含む移動通信ネットワーク内の前記移動端末にＩＰアドレスを割当てる方法であって、
前記ホスト部は、その後のインターネットセッションで用いるＩＰアドレスを生成するために、前記移動端末によって用いられる
ことを特徴とする方法。
【請求項１３】  移動通信ネットワーク内の移動端末にＩＰアドレスを割当てる方法であって、
無線リンクの設定の後に前記移動端末と移動通信ネットワークとの間で送信され、ＩＰアドレスのホスト部として、あるいは前記ＩＰアドレスのホスト部を生成するための手段として、鑑定あるいは承認証明書を用いるステップを含む
ことを特徴とする方法。
【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】
Ｎ個の入力チャンネル信号を取得するステップと、
Ｎ個のマトリックス出力チャンネル信号を出力するために、縦続接続された基本マトリックス量子化器として実行されるマトリックスにより前記入力チャンネル信号を変換するステップと、
前記入力チャンネル信号から導き出したチャンネル順序づけ情報に応答して、前記マトリックス出力チャンネル信号に対応するＮ個のデコーディング出力チャンネル信号を順序づけするステップと、
を具備するデコーディング方法。
【請求項２】
前記順序づけするステップは、前記変換するステップの後に行われることを特徴とする請求項１に記載の方法。
【請求項３】
前記順序づけするステップは、前記変換するステップの前に行われることを特徴とする請求項１に記載の方法。
【請求項４】
前記入力チャンネル信号は、左前方、右前方、左環境、右環境、中央及び低周波効果チャンネルを表すことを特徴とする請求項１乃至請求項３のいずれか１項に記載の方法。
【請求項５】
前記縦続接続された基本マトリックス量子化器中の１つの基本マトリックス量子化器は、前記入力チャンネル信号の１つに対応する第１のチャンネル信号を処理する第１の基本マトリックス量子化器であり、
前記第１の基本マトリックス量子化器において、前記第１のチャンネル信号に前記入力チャンネル信号から取得した利得係数を乗算するステップと、
前記乗算がなされた第１のチャンネル信号と前記入力チャンネル信号から取得した１以上の最下位ビットとを結合するステップと、
を具備することを特徴とする請求項１乃至請求項４のいずれか１項に記載の方法。
【請求項６】
Ｎ個の符号化された入力チャンネル信号を取得するステップと、
Ｎ個のマトリックス出力チャンネル信号を出力するために、縦続接続された基本マトリックス量子化器として実行されるマトリックスにより前記入力チャンネル信号を変換するステップと、
チャンネル順序づけ情報に応答して、前記マトリックス出力チャンネル信号に対応するＮ個のエンコーディング出力チャンネル信号を順序づけするステップと、
前記エンコーディング出力チャンネル信号と前記チャンネル順序づけ情報とを表す情報を伝達する複数のサブストリームを生成するステップであって、第１のサブストリームは、前記マトリックス出力チャンネル信号の精密なサブセットを表しダウンミックス仕様を含有することを特徴とするステップと、
を具備するエンコーディング方法。
【請求項７】
前記ダウンミックス仕様から前記チャンネル順序づけ情報を導き出すことを特徴とする請求項６に記載の方法。
【請求項８】
前記ダウンミックス仕様中の最大の係数を有するチャンネル信号が前記第１のサブストリーム中に表された第１のチャンネル信号になるように順序づけられた、前記チャンネル順序づけ情報を導き出すことを特徴とする請求項７に記載の方法。
【請求項９】
前記第２のサブストリームが損失無く圧縮されるような修正を、前記複数のサブストリーム中の第２のサブストリーム中に表されたチャンネル信号に行うために、前記縦続接続された基本マトリックス量子化器中の基本マトリックス量子化器を適用することを特徴とする請求項６乃至請求項８のいずれか１項に記載の方法。
【請求項１０】
前記縦続接続された基本マトリックス量子化器中の１つの基本マトリックス量子化器は、前記入力チャンネル信号の１つに応答する第１のチャンネル信号を処理する第１の基本マトリックス量子化器であり、
前記第１の基本マトリックス量子化器において、前記第１のチャンネル信号に利得係数を乗算するステップと、
前記利得係数と、前記第１のチャンネル信号に乗算演算を行った結果生じた、前記第１のチャンネルに配置されたビット数を越えた１以上の最下位ビットとを含めるために複数のサブストリームを生成するステップと、
を具備することを特徴とする請求項６乃至請求項９のいずれか１項に記載の方法。
【請求項１１】
請求項１乃至請求項１０のいずれか１項に記載の方法を実施する機械により実行させる命令プログラムを伝達する、前記機械により読み取り可能な媒体。
【請求項１２】
請求項１乃至請求項１０のいずれか１項に記載の方法を実施する手段を具備する装置。
【請求項１３】
命令プログラムを記憶する媒体と、前記方法を実施する前記命令プログラムを実行するための前記媒体と結合されたプロセッサとを具備することを特徴とする請求項１２に記載の装置。
【請求項１４】
複数のマトリックス出力チャンネル信号を有するマトリックス変換によりエンコードされた複数のチャンネル信号を表す複数のサブストリームとしてフォーマットされた信号を伝える媒体であって、前記複数のサブストリーム中の第１のサブストリームは、前記マトリックス出力チャンネル信号の精密なサブセットを表すとともにダウンミックス仕様を含み、前記媒体により処理される情報には、前記複数のサブストリーム中に表された前記チャンネル信号の順序を伝達する情報がさらに含まれることを特徴とする媒体。
【請求項１５】
前記媒体により処理される情報には、利得係数と、前記利得係数を乗算した第１のチャンネル信号中の情報と、前記第１のチャンネル信号に乗算演算を行った結果生じ、前記第１のチャンネルに配置されたビット数を越えた、前記第１のチャンネル信号の１以上の最下位ビットとが含まれることを特徴とする請求項１４に記載の方法。
【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
命令を含んでいるコンピュータプログラム製品であって、該命令は、実行されたときにおいて、手術室の無菌領域内の医療情報を管理する方法を実行し、該方法は、
無菌領域内において、第１のデバイスまたはデータベースから患者に関する情報を受け取ることであって、該第１のデバイスまたはデータベースは、該無菌領域の外部に位置する、ことと、
該無菌領域内において、該患者に対して実行される医療処置に関連する医療情報を提供するオペレータ入力を受け取ることと、
該受け取られた患者情報と該受け取られた医療情報とを該無菌領域から第２のデバイスまたはデータベースへと送ることであって、該第２のデバイスまたはデータベースは、該無菌領域の外部に位置する、ことと
を包含する、コンピュータプログラム製品。
【請求項２】
前記方法は、
前記無菌領域内において、前記医療処置に関連する医療画像データを受け取ることと、
該受け取られた医療画像データを前記第２のデバイスまたはデータベースに送ることと
をさらに包含する、請求項１に記載のコンピュータプログラム製品。
【請求項３】
前記医療画像データを受け取ることが、前記無菌領域内に位置する医療画像デバイスから医療画像データを受け取ることを包含する、請求項２に記載のコンピュータプログラム製品。
【請求項４】
前記医療画像データがディジタルフォーマットライブビデオ情報を含む、請求項２に記載のコンピュータプログラム製品。
【請求項５】
前記無菌領域内に位置する医療デバイスが、前記患者情報と前記医療情報とを受け取り、前記医療デバイスが、該受け取られた患者情報と該受け取られた医療情報とを該無菌領域から前記第２のデバイスまたはデータベースへと送る、請求項１に記載のコンピュータプログラム製品。
【請求項６】
前記医療デバイスが、患者の状態をモニタするためのデバイス、診断デバイスまたは携帯用電子デバイスを含む、請求項５に記載のコンピュータプログラム製品。
【請求項７】
前記患者の状態をモニタするためのデバイスが、心電図、血液中の酸素飽和度モニタ、Ｘ線画像処理デバイス、磁気共鳴画像処理デバイス、超音波画像処理デバイスまたは呼吸計を含む、請求項６に記載のコンピュータプログラム製品。
【請求項８】
前記診断デバイスまたは治療デバイスが、血管造影注入器を含む、請求項６に記載のコンピュータプログラム製品。
【請求項９】
前記オペレータ入力が、キーボード、マウス、トラックボール、ライトペン、ジョイスティック、タッチ感知ビデオスクリーン、バーコードリーダー、プッシュボタン、スイッチ、位置センサ、マイクロフォンまたは音声起動化システムからのユーザ入力を含む、請求項１に記載のコンピュータプログラム製品。
【請求項１０】
前記オペレータ入力が、無菌カバーを有しているデバイスからのユーザ入力を含む、請求項１に記載のコンピュータプログラム製品。
【請求項１１】
前記受け取られた患者情報が、一つ以上の患者履歴記録を含む、請求項１に記載のコンピュータプログラム製品。
【請求項１２】
前記受け取られた患者情報が、一つ以上の患者統計を含む、請求項１に記載のコンピュータプログラム製品。
【請求項１３】
前記受け取られた医療情報が、臨床データを含む、請求項１に記載のコンピュータプログラム製品。
【請求項１４】
前記受け取られた医療情報が、一つ以上の処置表示を含む、請求項１に記載のコンピュータプログラム製品。
【請求項１５】
前記受け取られた医療情報が、患者診断データを含む、請求項１に記載のコンピュータプログラム製品。
【請求項１６】
前記受け取られた患者情報と前記受け取られた医療情報とを前記第２のデバイスまたはデータベースに送ることが、前記医療処置に対する処置報告を送ることを包含する、請求項１に記載のコンピュータプログラム製品。
【請求項１７】
前記受け取られた患者情報と前記受け取られた医療情報とを前記第２のデバイスまたはデータベースに送ることが、該送られた情報が前記無菌領域の外部の該第２のデバイスによって維持されるデータベースに格納され得るように、該受け取られた患者情報と該受け取られた医療情報とをネットワークを介して該第２のデバイスに送ることを包含する、請求項１に記載のコンピュータプログラム製品。
【請求項１８】
前記方法が、
前記無菌領域内において、患者生体統計を受け取ることと、
該無菌領域内において、医療デバイス操作パラメータを受け取ることと、
該受け取られた患者生体統計と該受け取られた医療デバイス操作パラメータとを前記第２のデバイスまたはデータベースに送ることと
をさらに包含する、請求項１に記載のコンピュータプログラム製品。
【請求項１９】
前記第１のデバイスまたはデータベースが前記第２のデバイスまたはデータベースと異なる、請求項１に記載のコンピュータプログラム製品。
【請求項２０】
手術室の無菌領域内の医療情報を管理するシステムであって、
無菌領域内において、該無菌領域の外部に位置する第１のデバイスまたはデータベースから患者に関する情報を受け取り、該無菌領域内において、該患者に対して実行される医療処置に関連する医療情報を提供するオペレータ入力を受け取る受信装置と、
該受け取られた患者情報と該受け取られた医療情報とを該無菌領域の外部に位置する第２のデバイスまたはデータベースへと送る送信装置と
を備える、システム。
【請求項２１】
前記受信装置と前記送信装置とが統合されている、請求項２０に記載のシステム。
【請求項２２】
前記無菌領域内の医療デバイスであって、前記患者に対して前記医療処置を実行する医療デバイスをさらに備える、請求項２０に記載のシステム。
【請求項２３】
前記受信装置と前記送信装置とが前記医療デバイスへと統合されている、請求項２２に記載のシステム。
【請求項２４】
前記第１のデバイスまたはデータベースが前記第２のデバイスまたはデータベースと異なる、請求項２０に記載のシステム。
【請求項２５】
前記受信装置は、作動中のときにおいて、前記無菌領域内において、前記医療処置に関連する医療画像データを受け取り、
前記送信装置は、作動中のときにおいて、該受け取られた医療画像データを前記第２のデバイスまたはデータベースに送る、請求項２０に記載のシステム。
【請求項２６】
手術室の無菌領域内の医療情報を管理するシステムであって、
無菌領域内において、該無菌領域の外部に位置する第１のデバイスまたはデータベースから患者に関する情報を受け取る手段と、
該無菌領域内において、該患者に対して実行される医療処置に関連する医療情報を提供するオペレータ入力を受け取る手段と、
該受け取られた患者情報と該受け取られた医療情報とを該無菌領域の外部に位置する第２のデバイスまたはデータベースへと送る手段と
を備える、システム。
【手続補正書】
【提出日】平成18年12月26日(2006.12.26)
【手続補正１】
【補正対象書類名】明細書
【補正対象項目名】特許請求の範囲
【補正方法】変更
【補正の内容】
【特許請求の範囲】
【請求項１】  光学式コード読取り装置により得られる画像データ中の規則的で平行なバーのクロックトラックを含む郵便番号を同定して読取るための方法であって、
郵便番号の存在を示す特徴を含む画像データ中のサブ領域を規定する段階と；
郵便番号の一方のマージンから他方のマージンまで郵便番号の前記クロックトラックと交差する画像データ内の基準線を同定する、前記サブ領域からの画像データを用いる段階と；
前記基準線と交差するバーを配置する段階と；
バーの長さに基づいて記号列の状態を得るために前記基準線の上と下の各々のバーを追跡する段階と；
前記記号列の状態を復号化する段階と；
を含むことを特徴とする方法。
【請求項２】  前記郵便番号の一方のマージンから他方のマージンまで前記郵便番号の前記クロックトラックと交差する基準線を同定する段階は、
前記サブ領域の左側のサブ画像中の第１のバーと、前記サブ領域の右側のサブ画像中の第２のバーとを同定する段階と；
前記第１のバーの左側のサブ画像中に位置できる左側の郵便番号のマージンを配置する段階と；
前記第２のバーの右側のサブ画像中に位置できる右側の郵便番号のマージンを配置する段階と；
を含むことを特徴とする請求項１に記載の方法。
【請求項３】  前記郵便番号の一方のマージンから他方のマージンまでクロックトラックと交差する前記基準線が、
左側の候補マージンバー上の第１のポイントを選択する段階と；
右側の候補マージンバー上の第２のポイントを選択する段階と；
前記基準線が完全に前記クロックトラック内に位置するか否かを決定するために前記基準線に沿って前記バーの規則性を検査する段階と；
により同定されることを特徴とする請求項１に記載の方法。
【請求項４】  前記第１と第２のポイントを選択するために参照用テーブルが用いられることを特徴とする請求項３に記載の方法。
【請求項５】  個別の第１と第２のポイントが、前回の基準線が完全に前記クロックトラック内に位置しないという決定に応答して前記参照用テーブルから選択されることを特徴とする請求項４に記載の方法。
【請求項６】  前記基準線に沿うバーの規則性を検査する間に同定される場合、各々の不在バーに対してプレースホルダーを挿入することを特徴とする請求項３に記載の方法。
【請求項７】  前記郵便番号が２状態と４状態のいずれかを有しており、
読取られた郵便番号の形式に適した２状態または４状態復号化アルゴリズムを選択する段階と；
前記選択された復号化アルゴリズムを用いて前記記号列の状態からの前記コードを変換する段階と；
を含むことを特徴とする請求項１に記載の方法。
【請求項８】  米国ＰＯＳＴＮＥＴコード、カナダ郵便番号、英国郵便番号が読取られることを特徴とする請求項７に記載の方法。
【手続補正書】
【提出日】平成18年12月28日(2006.12.28)
【手続補正１】
【補正対象書類名】明細書
【補正対象項目名】特許請求の範囲
【補正方法】変更
【補正の内容】
【特許請求の範囲】
【請求項１】  抄紙工場、板紙工場、パルプ製造工場、紙仕上げ工場およびこれらと同等の紙／板紙の製造／加工に関連する設備などの製造工場の保守構成方法において、該方法は、
−  製造工場の製造工程および機械設備に関する情報を少なくとも１つの情報システムおよび／または測定ユニットおよび／または製造管理ユニットを用いて収集する工程と、
−  サービスシステムサーバを製造工場のローカル情報ネットワークに接続する工程と、
−  製造工場の様々な情報システムからサービスシステムサーバへ情報を収集する工程と、
−  製造工場から遠隔サービスユニットへ情報を送り、該ユニットで少なくとも１つの製造工場から提出された情報を収集し分析する工程と、
−  製造工場の内部情報ネットワークをファイヤウォールによってインターネットから隔離する工程と、
−  サービスユニットの情報ネットワークをファイヤウォールによってインターネットから隔離する工程と、
−  製造工場の情報ネットワークとサービスユニットの情報ネットワークとの間で、安全なフォーマットにより、ファイヤウォールを経由して情報を双方向に転送する工程とを含むことを特徴とする製造工場の保守構成方法。
【請求項２】  請求項１に記載の方法において、前記サービスシステムサーバは、製造工場のローカル情報ネットワークのファイヤウォールの保護領域内に設置することを特徴とする方法。
【請求項３】  請求項１または２に記載の方法において、前記サービスシステムサーバでは、収集したデータを処理および加工し、サービス活動に本質的に必要なフォーマットにすることを特徴とする方法。
【請求項４】  請求項１ないし３のいずれかに記載の方法において、前記サービスユニットおよび製造工場で権限付与されたユーザは、通信接続を相互間に確立すべきコンピュータのIPアドレスおよび／またはコンピュータ操作者のIDコ−ドおよび／またはパスワードによって識別することを特徴とする方法。
【請求項５】  請求項１ないし４のいずれかに記載の方法において、前記サービスユニットは、製造工場から地理的に遠隔地に配置することを特徴とする方法。
【請求項６】  請求項１ないし５のいずれかに記載の方法において、情報は、複数の製造工場からサービスユニットに収集することを特徴とする方法。
【請求項７】  請求項１ないし６のいずれかに記載の方法において、前記サービスシステムサーバからは、標準フォーマットによって情報をサービスユニットに送ることを特徴とする方法。
【請求項８】  請求項１ないし７のいずれかに記載の方法において、製造工場から提出される情報は、サービスユニットで分析することを特徴とする方法。
【請求項９】  請求項１ないし８のいずれかに記載の方法において、前記サービスユニットから製造工場に操作上の勧告を送ることを特徴とする方法。
【請求項１０】  請求項１ないし９のいずれかに記載の方法において、前記サービスユニットで分析した情報は、製造工場のユニットにおける予定された保守の時期を決定するために活用することを特徴とする方法。
【請求項１１】  請求項１ないし10のいずれかに記載の方法において、データ、ビデオおよび／またはオーディオ信号を製造工場とサービスユニットとの間で転送することを特徴とする方法。
【請求項１２】  製造工場の保守構成システムにおいて、該システムは、前記製造工場内に情報システムを含み、これらからサービスシステムサーバに情報が転送され、前記保守構成システムはさらに、データ分析ユニットおよびデータバンクから成るサービスユニットを含み、前記製造工場と前記サービスユニットとの間には、前記製造工場のファイヤウォール、前記サービスユニットのファイヤウォールおよびこれら両者間の安全な通信接続により構成される安全な通信接続手段が確立されていることを特徴とする製造工場の保守構成システム。
【請求項１３】  請求項12に記載のシステムにおいて、前記サービスシステムサーバは、製造工場の情報ネットワークに組み込まれていることを特徴とするシステム。
【請求項１４】  請求項12または13に記載のシステムにおいて、前記サービスシステムサーバは、前記製造工場のローカル情報ネットワークのファイヤウォールの保護領域内に設置されていることを特徴とするシステム。
【請求項１５】  請求項12ないし14のいずれかに記載のシステムにおいて、前記サービスシステムサーバは、収集されたデータを処理および加工して、サービス活動に本質的に必要なフォーマットにするように設定されていることを特徴とするシステム。
【請求項１６】  請求項12ないし15のいずれかに記載のシステムにおいて、前記サービスユニットは、少なくとも１つの製造工場とともに、安全な通信接続上で運用され、該製造工場はそれぞれ、ファイヤウォールによってインターネットから隔離されていることを特徴とするシステム。
【請求項１７】  請求項12ないし16のいずれかに記載のシステムにおいて、前記サービスユニットは、データの処理および分析用のデータ分析ユニットと、該ユニットに接続されたデータ蓄積用のデータバンクとを含むことを特徴とするシステム。
【請求項１８】  請求項12ないし17のいずれかに記載のシステムにおいて、前記サービスユニットのデータバンクは、情報ブラウジング用のwwwインターフェースを備えていることを特徴とするシステム。
【手続補正書】
【提出日】平成19年3月30日(2007.3.30)
【手続補正１】
【補正対象書類名】明細書
【補正対象項目名】特許請求の範囲
【補正方法】変更
【補正の内容】
【特許請求の範囲】
【請求項１】  モノリシック流体流量調節構造物であって、
（ａ）前記流体流量調節構造物中を入口と出口の間に延びている流体チャネル、ここで前記入口はそこから流体が該入口に供給される流体リザーバと流体連通的に結合するように構成されている、
（ｂ）前記流体チャネル中に前記出口を介する流体流量を調節するために配置された、バイアス電圧によってのみ影響され調節される少なくとも１つの仮想バルブ、ここで前記バイアス電圧は電極に印加され、前記仮想バルブはバイアス電圧が存在しなくても開口を介して流体が流れるのを防止するよう十分に小さい断面積を有する前記開口を含み、前記開口を介する流体速度は印加されたバイアス電圧の大きさによってのみ調節される、
を含み、第１圧力センサー及び第２圧力センサーを特徴とするものであり、
前記圧力センサーの少なくとも１つは前記流体チャネル内の入口と出口の間に配置されており、前記第１及び第２圧力センサーは流体流量調節構造物を介する流体流量を差圧の関数として検知する際に使用される第１及び第２圧力信号を発生し、流体流量の前記調節は流体チャネル内の流体圧力差値の関数であることを特徴とする、前記モノリシック流体流量調節構造物。
【請求項２】  更に、流体チャネルの反対側に配置された第１プレート及び第２プレートを含むバブルセンサーを含み、前記第１及び第２プレートは流体チャネルを介して流れる流体中のバブルを前記第１及び第２プレート間の誘電率の変化の関数として検知することを特徴とする請求の範囲第１項に記載のモノリシック流体流量調節構造物。
【請求項３】  第１圧力センサー及び第２圧力センサーの両方が流体チャネル内に配置されていることを特徴とする請求の範囲第１項に記載のモノリシック流体流量調節構造物。
【請求項４】  第２圧力センサーが出口の下流に配置されていることを特徴とする請求の範囲第１項に記載のモノリシック流体流量調節構造物。
【請求項５】  第１及び第２圧力センサーが、流体チャネル内の圧力と出口の下流の圧力との差を検知する差圧変換器からなることを特徴とする請求の範囲第１項に記載のモノリシック流体流量調節構造物。
【請求項６】  仮想バルブの開口が５μｍ未満の横断寸法を有することを特徴とする請求の範囲第１項に記載のモノリシック流体流量調節構造物。
【請求項７】  流体チャネルがシリコンスラブ中に形成されていることを特徴とする請求の範囲第１項に記載のモノリシック流体流量調節構造物。
【請求項８】  患者身体に皮下注射器を用いて移植されるように十分にコンパクトなサイズを有することを特徴とする請求の範囲第１項に記載のモノリシック流体流量調節構造物。
【手続補正書】
【提出日】平成19年3月6日(2007.3.6)
【手続補正１】
【補正対象書類名】明細書
【補正対象項目名】特許請求の範囲
【補正方法】変更
【補正の内容】
【特許請求の範囲】
【請求項１】 入射側と放射側を備える画面であって、画面の入射側に隣接して配置されている両凸レンズ手段と、 画面の放射側に隣接して配置されている拡散手段を備え、拡散手段が両凸レンズ手段からギャップで分離されていることを特徴とする、画面。
【請求項２】 タイル型投影表示装置であって、入射側と放射側を備える画面と、 ２つまたはそれ以上のプロジェクタであって、それぞれが画像を少なくとも画面の入射側の一部に投影するプロジェクタと、画面の入射側に隣接して配置されている小型レンズの配列と、画面の放射側に隣接して配置された拡散手段を備える前記画面を備える、タイル型投影表示装置。
【請求項３】 プレスクリーンであって、２つの向かい合う面を持つ両面フレキシブル・レンズ状配列フィルムを備え、フィルムの片面にあるそれぞれの小型レンズはフィルムの反対側にある対応する小型レンズと位置が合っており、選択された小型レンズのピッチが０．２５４ｍｍ（１０ｍｉｌ）以下であることを特徴とする、プレスクリーン。
【請求項４】 位置合わせされた両面レンズ状プレスクリーンを製造する方法であって、表面に第１のパターンを持つ第１のローラーを備え、プレスクリーンの第１の側に第１のレンズ状パターンを作成するステップと、 表面に第２のパターンを持つ第２のローラーを備え、プレスクリーンの第２の側に第２のレンズ状パターンを作成するステップと、 変形可能材料を第１のローラーと第２のローラーの間に送るステップと、 第１と第２のローラーを反対方向に回して、変形可能材料を進めるステップと、第２のローラーに関して第１のローラーの位置合わせを維持し、第１のパターンと第２のパターンが互いに位置合わせを維持するステップを含む、方法。
【請求項５】 位置合わせされたパターンを２つの向かい合う表面で作成し、前記２つの向かい合う表面が変形可能であることを特徴とする方法であって、２つの向かい合う表面の相対的位置を制御するステップと、 ２つの向かい合う表面の間にビーズを入れるステップと、ビーズにより２つの向かい合う表面が変形し、自己整列され位置合わせされたパターンを作成するように２つの向かい合う表面を移動するステップと、２つの向かい合う表面の間からビーズを取り除くステップを含む、方法。
【請求項６】 小型レンズの配列を使用して光アパーチャの配列を形成する方法であって、小型レンズの配列の隣に感光材料を送るステップと、 入射光を少なくとも小型レンズの配列の一部に送り、小型レンズの配列により光が感光材料に向かうようにするステップと、感光材料を現像し、感光材料の選択された部分を除去して、光アパーチャの配列を形成するステップを含む、方法。
【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】
マネーカードおよびセキュリティを必要とするその他の装置に用いられ、Ｌ個のディジットを有する二進数、特に個人に特有のバイナリコードから、Ｎ個の十進数字で構成される個人識別番号（ＰＩＮ）を生成する方法において、前記ＰＩＮは、利用できる数字ドメインにわたってランダムに均一に配分されるように生成されることを特徴とする方法。
【請求項２】
前記二進数（Ｂ）の最初のｎ１個のディジットが一般的に既知の方法で十進数ｄ１に変換され、予め定義可能な自然数である前記ｎ１が、商２ｎ１／（ｚ１×９）が１に近づくような自然数ｚ１が生じるように選択され、また、前記ＰＩＮの最初の十進数字はｄ１  ｍｏｄｕｌｏ  ９の値を受け取り、前記二進数（Ｂ）のさらなるｎ２個の数字のさらなるＮ−１個の群が、常に、一般的に既知の方法で、Ｎ−１個の十進数ｄ２乃至ｄＮに変換され、予め定義可能な数である前記ｎ２は、商２ｎ２／（ｚ２×１０）が１に近づくような自然数ｚ２が生じるように選択され、０≦（２ｎ２  ｍｏｄｕｌｏ  １０）＜３という条件を満たし、そして前記ＰＩＮの十進数字２乃至Ｎは、ｄｉ  ｍｏｄｕｌｏ  １０の値を受け取り、ｉは２乃至Ｎであることを特徴とする請求項１記載の方法。
【請求項３】
ｎ１≦１６およびｎ２≦１６が予め定義されることを特徴とする請求項２記載の方法。
【請求項４】
Ｎ＝４が選択されることを特徴とする請求項１ないし３のいずれか１項に記載の方法。
【請求項５】
前記二進数（Ｂ）は長さＬ＝１６を有し、Ｎ＝４が前もって定義され、また、ｎ１＝ｎ２＝４が前もって定義されることを特徴とする請求項１ないし４のいずれか１項に記載の方法。
【請求項６】
前記二進数（Ｂ）は長さＬ＝３×ｎ３を有し、前記二進数（Ｂ）の３個のディジットのｎ３個の群は、一般的に既知の方法で、ｎ３個の十進数字に変換され、前記ＰＩＮの前記ｎ３個の数字を生成し、ｎ３は自然数であることを特徴とする請求項１記載の方法。
【請求項７】
前記ＰＩＮを生成するために、一般に既知の方法で、前記二進数（Ｂ）が完全に変換され、そして必要であれば、結果として生じる十進数にそうした補正値を加えて、前記十進数の最初の数字が零と等しくないようにし、結果の数字が前記ＰＩＮの数字を構成することを特徴とする請求項１記載の方法。
【請求項８】
前記二進数（Ｂ）の長さＬは１３であり、前記生成された十進数は４個の数字を有し、９９９よりも大きく１８０７よりも小さい予め設定された値が前記十進数に加えられることを特徴とする請求項７記載の方法。
【請求項９】
番号０〜８１９１の組が、ｎ５個の部分集合Ｍ１、・・・、Ｍｎ５に割り当てられ、予め設定された値ｄｉが、集合Ｍｉの要素であり、９９９＜ｄ１＜ｄ２＜・・・＜ｄｎ５＜１８０９を保つときには、生成した十進数に加えられ、ｎ５は自然数であることを特徴とする請求項８記載の方法。
【請求項１０】
前記二進数（Ｂ）の長さＬは１６であり、前記生成された十進数は５個の数字を有し、９９９９よりも大きく３４４６５よりも小さい予め設定された値が前記十進数に加えられることを特徴とする請求項７記載の方法。
【請求項１１】
番号０〜６５５８５の組が、ｎ５個の部分集合Ｍ１、・・・、Ｍｎ５に割り当てられ、予め設定された値ｄｉが、集合Ｍｉの要素であり、９９９９＜ｄ１＜ｄ２＜・・・＜ｄｎ５＜３４４６５を保つときには、生成した十進数に加えられ、ｎ５は自然数であることを特徴とする請求項１０記載の方法。
【請求項１２】
前記ＰＩＮの最初のディジットを生成するために、
３６個までの十六進数字からなる擬似乱数を長さＬの前記二進数（Ｂ）から生成するステップと、
十六進数字の各々を、十六進数字を数字１〜９へ写像する、可能性ある異なる３６の数学的写像のうちの異なる１つの写像を用いて、数字１〜９のうちの１つの数字へ変換するステップと、
特定のＰＩＮ数字の出現する確率を平均化するために、生成された３６個までの十進数字を数字演算においてリンクして、前記ＰＩＮの最初の数字を表す零に等しくない十進数字を形成するステップとが実行され、そして、
前記ＰＩＮの第２のおよびこれに引き続くそれぞれのディジットを生成するために、
２１０個までの十六進数字からなる擬似乱数を長さＬの前記二進数（Ｂ）から生成するステップと、
十六進数字の各々を、十六進数字を十進数字に変換する、可能性ある２１０の数字的写像のうちの異なる１つを常に用いて、１の十進数字に変換するステップと、
特定のＰＩＮ数字の出現する確率を平均化するために、生成された２１０個までの十進数字を数字演算においてリンクして、前記ＰＩＮの前記特定の数字を表す十進数字を形成するステップとが実行されることを特徴とする請求項１記載の方法。
【請求項１３】
前記ＰＩＮの前記最初のディジットが生成され、前記３６個までの数字が次数９のいずれか任意の数字群の群演算を用いてリンクされ、そして前記ＰＩＮの前記第２のおよび引き続くディジットが生成され、前記２１０個までの数字が次数１０のいずれか任意の数字群の群演算を用いてリンクされることを特徴とする請求項１２記載の方法。
【請求項１４】
１０を法とする整数の加法群を用いて、前記２１０個までの数字をリンクすることを特徴とする請求項１３記載の方法。
【請求項１５】
１１を法とする整数の乗法群を用いて、前記２１０個までの数字をリンクすることを特徴とする請求項１３記載の方法。
【請求項１６】
正五角形の対称写像の群（正二面体群）を用いて、前記２１０個までの数字をリンクし、前記群の１０個の対称写像のそれぞれが異なる十進数字に割り当てられることを特徴とする請求項１３記載の方法。
【請求項１７】
数字０が恒等写像に割り当てられ、数字１〜４は前記五角形の中点を中心とした４つの回転に割り当てられ、そして数字５〜９は前記五角形の５つの対称軸を中心とした５つの鏡映に割り当てられることを特徴とする請求項１６記載の方法。
【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】  高屈折率の領域を有し、実質的に周期性のクラッディングによって実質的に包囲されている実質的に一様な低屈折率の領域を有するフォトニック結晶ファイバにおいて、低屈折率の領域は、クラッディングの単一の最も短い周期よりも長い最長横方向寸法を有し、低屈折率の領域は、光をクラッディング材料のフォトニックバンドギャップによって低屈折領域中に実質的に閉じ込めるのに十分なほど大きい最長横方向寸法を有し、閉じ込めた状態でファイバに沿って誘導できることを特徴とするフォトニック結晶ファイバ。
【請求項２】  低屈折率の領域は、ガス又は真空から成ることを特徴とする請求項１記載のフォトニック結晶ファイバ。
【請求項３】  実質的に周期性のクラッディング材料は、３角形の格子構造を有していることを特徴とする請求項１又は２記載のフォトニック結晶ファイバ。
【請求項４】  ３角形の格子は、中実のマトリックス中の空気穴から成ることを特徴とする請求項３記載のフォトニック結晶ファイバ。
【請求項５】  高屈折率の領域は、本質的に二酸化珪素から成ることを特徴とする請求項１〜４のうちいずれか一に記載のフォトニック結晶ファイバ。
【請求項６】  クラッディング中の空気の割合は、クラッディングの体積を基準として少なくとも１５体積％であることを特徴とする請求項１〜５のうちいずれか一に記載のフォトニック結晶ファイバ。
【請求項７】  低屈折率の領域は、空気から成ることを特徴とする請求項６記載のフォトニック結晶ファイバ。
【請求項８】  低屈折率の領域は、低圧領域であることを特徴とする請求項１〜７のうちいずれか一に記載のフォトニック結晶ファイバ。
【請求項９】  低屈折率の領域は、非線形光レスポンスを有する材料から成り、光を非線形法により低屈折率領域中に発生させることができることを特徴とする請求項１〜８のうちいずれか一に記載のフォトニック結晶ファイバ。
【請求項１０】  低屈折率の領域は、少なくとも１つの横モードを維持するのに十分広いことを特徴とする請求項１記載のフォトニック結晶ファイバ。
【請求項１１】  単一モードファイバであることを特徴とする請求項１０記載のフォトニック結晶ファイバ。
【請求項１２】  低屈折率の領域は、クラッディングの単一の最も短い周期の少なくとも１．５倍よりも長い最長横方向寸法を有することを特徴とする請求項１〜１１のうちいずれか一に記載のフォトニック結晶ファイバ。
【請求項１３】  請求項１〜１２のうちいずれか一に記載のフォトニック結晶ファイバを有する光学素子。
【請求項１４】  スペクトル濾過素子であることを特徴とする請求項１３記載の光学素子。
【請求項１５】  光増幅器であることを特徴とする請求項１３記載の光学素子。
【請求項１６】  レーザであることを特徴とする請求項１３記載の光学素子。
【請求項１７】  低屈折率の領域を構成するガスの性状を検出することができるセンサであることを特徴とする請求項１３記載の光学素子。
【請求項１８】  請求項１〜１２のうちいずれか一に記載のフォトニック結晶ファイバを有する通信システム。
【請求項１９】  請求項を１３〜１７のうちいずれか一に記載の光学素子を有する通信システム。
【請求項２０】  請求項１８又は１９記載の通信システムを有する通信ネットワーク。
【請求項２１】  フォトニック結晶ファイバの製造方法であって、（ａ）管材のスタックを形成する工程を有し、前記スタックは、スタック内にキャビティを構成する少なくとも１つの切断管材を有し、（ｂ）スタックを細長いキャビティを有するファイバ中に引き込む工程を更に有していることを特徴とする方法。
【請求項２２】  光ファイバは、請求項１〜８、請求項１０及び１２のうちいずれか一に記載のファイバであることを特徴とする請求項２０記載の方法。
【請求項２３】  キャビティは、管材のうち任意のものの対応の横方向寸法よりも大きい横方向寸法を有していることを特徴とする請求項２１又は２２記載の方法。
【請求項２４】  キャビティは、管材のうち任意の２本の対応の寸法の合計よりも大きな横方向寸法を有していることを特徴とする請求項２３記載の方法。
【請求項２５】  管材のスタックは、毛管である管材から成ることを特徴とする請求項２１〜２４のうちいずれか一に記載の方法。
【請求項２６】  毛管は、３角形の配列体を形成していることを特徴とする請求項２５記載の方法。
【請求項２７】  毛管は、空気以外の物質で満たされていることを特徴とする請求項２４又は２５記載の方法。
【請求項２８】  請求項２１〜２７のうちいずれか一に記載の方法によって製造されたフォトニック結晶ファイバ。
【請求項２９】  フォトニック結晶ファイバに沿って光を伝送する方法であって、前記ファイバは、請求項１〜１３のうちいずれか一に記載のファイバであることを特徴とする方法。
【手続補正書】
【提出日】平成19年2月6日(2007.2.6)
【手続補正１】
【補正対象書類名】明細書
【補正対象項目名】特許請求の範囲
【補正方法】変更
【補正の内容】
【特許請求の範囲】
【請求項１】  経皮薬物送達装置のための貯蔵マトリックス物質を製造する方法であって、
（ａ）薬物を与える；
（ｂ）ポリウレタンポリマーを与える；および
（ｃ）１５０℃未満の温度で薬物をポリウレタンポリマーに溶融混合する；
という段階を含んでなる方法。
【請求項２】  薬物およびポリウレタンポリマーが１００℃未満で溶融混合される、請求項１に記載の方法。
【請求項３】  薬物およびポリウレタンポリマーが４０−９０℃で溶融混合される、請求項２に記載の方法。
【請求項４】  ポリウレタンポリマーがポリエーテルポリウレタンである、請求項１、２もしくは３に記載の方法。
【請求項５】  ポリウレタンポリマーが、少なくとも１つの脂肪族ジイソシアネート、少なくとも１つの高分子量ポリエーテルポリオール、および少なくとも１つの低分子量グリコールの反応生成物を含んでなる、請求項４に記載の方法。
【請求項６】  ジイソシアネートがメチレンビス(シクロヘキシル)ジイソシアネートを含んでなり、ポリエーテルポリオールが、ポリテトラメチレンエーテルグリコール、ポリプロピレングリコール、もしくはポリエチレングリコールを含んでなる、請求項５に記載の方法。
【請求項７】  グリコールが１,４−ブタンジオールである、請求項５もしくは６に記載の方法。
【請求項８】  ポリエーテルポリオールが、ポリテトラメチレンエーテルグリコール、ポリプロピレングリコール、ポリエチレングリコール、およびプロピレングリコールよりなる群から選択される、少なくとも２つのポリマーの混合物である、請求項６もしくは７に記載の方法。
【請求項９】  マトリックス物質が２５.４−３０４.８ミクロン（１−１２ミル）の厚さを有する、請求項１から８のいずれか１つに記載の方法。
【請求項１０】  マトリックス物質が５０.８−１５２.４ミクロン（２−６ミル）の厚さを有する、請求項９に記載の方法。
【請求項１１】  マトリックス物質が０.１−１００ＭＰaの間の室温係数を有する、請求項１から１０のいずれか１つに記載の方法。
【請求項１２】  マトリックス物質が少なくとも１つの透過エンハンサーを２０wt％まで含む、請求項１から１１のいずれか１つに記載の方法。
【請求項１３】  マトリックス物質がさらに透過エンハンサーを２−１５wt％含む、請求項１２に記載の方法。
【請求項１４】  透過エンハンサーがモノグリセリドおよびラウリルピログルタメートよりなる群から選択される、請求項１２もしくは１３に記載の方法。
【請求項１５】  透過エンハンサーがグリセロールモノラウレートまたはラウリルピログルタメートである、請求項１４に記載の方法。
【請求項１６】  マトリックス物質が薬物を０.１−４０wt％含む、請求項１から１５のいずれか１つに記載の方法。
【請求項１７】  薬物が、フェンタニル、オキシブチニン、およびフルオキセチンよりなる群から選択される、請求項１から１６のいずれか１つに記載の方法。
【請求項１８】  マトリックス物質がフェンタニル塩基を１−１０wt％含む、請求項１７に記載の方法。
【請求項１９】  マトリックス物質が、フェンタニル塩基を４−７wt％、透過エンハンサーを４−１３wt％、およびポリエーテルポリウレタンを７５−９２wt％含む、請求項１８に記載の方法。